【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
入力信号を受信するように構成されたゲート端子、増幅された信号を出力するように構成されたドレイン端子、およびソースディジェネレーションインダクタによって信号接地に接続されたソース端子を有する第１のトランジスタと、
前記第１のトランジスタの前記ドレイン端子に接続されたソース端子および第１の出力負荷に接続されたドレイン端子を有する第２のトランジスタと、
前記第１のトランジスタの前記ドレイン端子に接続されたゲート端子、第２の出力負荷に接続されたドレイン端子、および信号接地に接続されたソース端子を有する第３のトランジスタと
を備え、
前記第３のトランジスタの前記ドレイン端子は、スイッチを通じて前記第１の負荷に選択的に接続される、装置。
【請求項２】
前記第１のトランジスタの前記ドレイン端子に接続されたソース端子および前記第１の出力負荷に接続されたドレイン端子を有する第４のトランジスタをさらに備え、前記第４のトランジスタは、前記第２のトランジスタと同一のまたは異なる量の電流を伝導するように構成される、請求項１に記載の装置。
【請求項３】
前記第４のトランジスタは、前記第１の出力負荷への電流を制御するために、制御信号によって、選択的に使用可能にされる、またはＤＣ結合のためにバイアスをかけられる、請求項２に記載の装置。
【請求項４】
前記第１のトランジスタの前記ドレイン端子にそれぞれ接続された１つまたは複数のゲート端子、１つまたは複数の出力負荷にそれぞれ接続された１つまたは複数のドレイン端子、および前記信号接地に接続された１つまたは複数のソース端子を有する１つまたは複数の追加のトランジスタをさらに備える、請求項１に記載の装置。
【請求項５】
前記１つまたは複数のドレイン端子は、１つまたは複数のスイッチを通じて前記１つまたは複数の出力負荷に選択的に接続される、請求項４に記載の装置。
【請求項６】
前記１つまたは複数のスイッチは、１つまたは複数の制御信号によって選択的に使用可能にされる、請求項５に記載の装置。
【請求項７】
前記１つまたは複数の追加のトランジスタの前記ドレイン端子は、１つまたは複数のスイッチを通じて前記第１の出力負荷に選択的に接続される、請求項４に記載の装置。
【請求項８】
前記１つまたは複数のスイッチは、１つまたは複数の制御信号によって選択的に使用可能にされる、請求項７に記載の装置。
【請求項９】
前記第２のトランジスタは、制御信号によって、選択的に使用可能にされる、またはＤＣ結合のためにバイアスをかけられる、請求項１に記載の装置。
【請求項１０】
前記第３のトランジスタの前記ドレイン端子は、スイッチを通じて前記第２の出力負荷に選択的に接続される、請求項１に記載の装置。
【請求項１１】
前記スイッチは、制御信号によって、選択的に使用可能にされる、またはＤＣ結合のためにバイアスをかけられる、請求項１０に記載の装置。
【請求項１２】
前記スイッチは、制御信号によって選択的に使用可能にされる、請求項１に記載の装置。
【請求項１３】
前記第２および第３のトランジスタを選択的に使用可能にするために、またはＤＣ結合のために前記第２および第３のトランジスタにバイアスをかけるために、制御信号を生成するコントローラをさらに備える、請求項１に記載の装置。
【請求項１４】
前記装置は、受信機中でキャリアアグリゲーション信号の構成可能な増幅およびルーティングを行うように構成される、請求項１に記載の装置。
【請求項１５】
前記装置は、集積回路上に形成される、請求項１に記載の装置。
【手続補正２】
【補正対象書類名】明細書
【補正対象項目名】００５５
【補正方法】変更
【補正の内容】
【００５５】
[0063]  本開示の先の説明は、当業者が本開示を製造または使用することを可能にするために提供される。本開示に対する種々の変更は、当業者にとって容易に明らかであり、ここで定義された一般的な原則は、本開示の範囲から逸脱することなく他の変形に適用され得る。したがって、本開示は、本明細書において説明された例および設計に限定されるよう意図されず、本明細書で開示された原理および新規の特徴と一致する最も幅広い範囲が付与されるべきである。
以下に本願の出願当初の特許請求の範囲に記載された発明を付記する。
［Ｃ１］
入力信号を受信するように構成されたゲート端子、増幅された信号を出力するように構成されたドレイン端子、およびソースディジェネレーションインダクタによって信号接地に接続されたソース端子を有する第１のトランジスタと、
前記第１のトランジスタの前記ドレイン端子に接続されたソース端子および第１の負荷に接続されたドレイン端子を有する第２のトランジスタと、
前記第１のトランジスタの前記ドレイン端子に接続されたゲート端子、第２の負荷に接続されたドレイン端子、および信号接地に接続されたソース端子を有する第３のトランジスタと
を備える、装置。
［Ｃ２］
前記第１のトランジスタの前記ドレイン端子に接続されたソース端子および前記第１の負荷に接続されたドレイン端子を有する第４のトランジスタをさらに備え、前記第４のトランジスタは、前記第２のトランジスタと同一のまたは異なる量の電流を伝導するように構成される、Ｃ１に記載の装置。
［Ｃ３］
前記第４のトランジスタは、前記第１の負荷への電流を制御するために、制御信号によって、選択的に使用可能にされる、またはＤＣ結合のためにバイアスをかけられる、Ｃ２に記載の装置。
［Ｃ４］
前記第１のトランジスタの前記ドレイン端子にそれぞれ接続された１つまたは複数のゲート端子、１つまたは複数の負荷にそれぞれ接続された１つまたは複数のドレイン端子、および前記信号接地に接続された１つまたは複数のソース端子を有する１つまたは複数の追加のトランジスタをさらに備える、Ｃ１に記載の装置。
［Ｃ５］
前記１つまたは複数のドレイン端子は、１つまたは複数のスイッチを通じて前記１つまたは複数の負荷に選択的に接続される、Ｃ４に記載の装置。
［Ｃ６］
前記１つまたは複数のスイッチは、１つまたは複数の制御信号によって選択的に使用可能にされる、Ｃ５に記載の装置。
［Ｃ７］
前記１つまたは複数の追加のトランジスタの前記ドレイン端子は、１つまたは複数のスイッチを通じて前記第１の負荷に選択的に接続される、Ｃ４に記載の装置。
［Ｃ８］
前記１つまたは複数のスイッチは、１つまたは複数の制御信号によって選択的に使用可能にされる、Ｃ７に記載の装置。
［Ｃ９］
前記第２のトランジスタは、制御信号によって、選択的に使用可能にされる、またはＤＣ結合のためにバイアスをかけられる、Ｃ１に記載の装置。
［Ｃ１０］
前記第３のトランジスタの前記ドレイン端子は、スイッチを通じて前記第２の負荷に選択的に接続される、Ｃ１に記載の装置。
［Ｃ１１］
前記スイッチは、制御信号によって、選択的に使用可能にされる、またはＤＣ結合のためにバイアスをかけられる、Ｃ１０に記載の装置。
［Ｃ１２］
前記第３のトランジスタの前記ドレイン端子は、スイッチを通じて前記第１の負荷に選択的に接続される、Ｃ１に記載の装置。
［Ｃ１３］
前記スイッチは、制御信号によって選択的に使用可能にされる、Ｃ１２に記載の装置。
［Ｃ１４］
前記第２および第３のトランジスタを選択的に使用可能にするために、またはＤＣ結合のために前記第２および第３のトランジスタにバイアスをかけるために、制御信号を生成するコントローラをさらに備える、Ｃ１に記載の装置。
［Ｃ１５］
前記装置は、受信機中でキャリアアグリゲーション信号の構成可能な増幅およびルーティングを行うように構成される、Ｃ１に記載の装置。
［Ｃ１６］
前記装置は、集積回路上に形成される、Ｃ１に記載の装置。
［Ｃ１７］
どのように信号が増幅され、１つまたは複数の負荷にルーティングされるかを制御する制御信号を生成する手段と、前記信号は、ソースディジェネレーションインダクタによって信号接地に接続されたソース端子を有する第１のトランジスタから出力される、
前記制御信号に基づいて、前記信号を第１の信号パスを通じて第１の負荷に選択的に接続する手段と、
前記制御信号に基づいて、前記信号を第２の負荷に選択的に接続する手段と、前記手段は、前記信号を受信して、前記信号接地に接続されたソース端子を有するトランジスタを含む、
を備える、装置。
［Ｃ１８］
前記制御信号に基づいて、前記信号を第２の信号パスを通じて前記第１の負荷に選択的に接続する手段をさらに備え、前記第２のパスは前記第１の信号パスと同一のまたは異なる量の電流を伝導するように構成される、Ｃ１７に記載の装置。
［Ｃ１９］
前記制御信号に基づいて、前記信号を１つまたは複数の追加の信号パスを通じて１つまたは複数の追加の負荷に選択的に接続する手段をさらに備え、前記手段は、前記信号を受信するために接続されて、前記信号接地に接続された１つまたは複数の追加のソース接地を有する１つまたは複数の追加のトランジスタを含む、Ｃ１７に記載の装置。
［Ｃ２０］
前記制御信号に基づいて、前記１つまたは複数の追加の信号パスを前記第１の信号パスに選択的に接続する手段をさらに備える、Ｃ１９に記載の装置。